(57)【要約】【課題】コードの処理を図ると共に、外観品質の向上も図った電子鍵盤楽器用スタンドを得る。【解決手段】左右の側板１８，２０に裏板２２の左右両端を嵌入可能な溝３２，３８を設け、一方の溝３２の奥に電源コード３４を挿入すると共に裏板２２を溝３２に嵌入し、左右の側板１８，２０と裏板２２とをそれぞれ接続部材３３により固定した。溝３２は、側板２２の妻土台１４側の端まで形成され、かつ、溝３２の妻土台１４側端の幅を拡げてコード３４を引き出した。左右の側板１８，２０の溝３２，３８は、一方の溝３２に裏板２２の一方の端を嵌入してから、裏板２２を他方の溝３８側に移動して、他方の溝３８に裏板２２の他方の端を嵌入できる深さに形成した。【選択図】  図３
2008058383.tif 000002
【特許請求の範囲】
【請求項１】
ペダル土台の左右両側に取り付けられた左右の妻土台と、
該妻土台にそれぞれ立設され上側に楽器本体が取り付けられた左右の側板と、
該左右の側板の間に渡された裏板とを備えた電子鍵盤楽器用スタンドにおいて、
前記左右の側板に前記裏板の左右両端を嵌入可能な溝を設け、少なくとも一方の前記溝の奥にコードを挿入すると共に前記裏板を前記溝に嵌入し、前記左右の側板と前記裏板とをそれぞれ接続部材により固定したことを特徴とする電子鍵盤楽器用スタンド。
【請求項２】
前記溝は、前記側板の前記妻土台側の端まで形成され、かつ、前記溝の前記妻土台側端の幅を拡げて前記コードを引き出したことを特徴とする請求項１に記載の電子鍵盤楽器用スタンド。
【請求項３】
前記左右の側板の一方の前記溝には、前記楽器本体の電源コードが挿入され、他方の前記溝には、前記楽器本体と前記ペダル土台とを接続するペダルコードが挿入されたことを特徴とする請求項１又は請求項２のいずれかに記載の電子鍵盤楽器用スタンド。
【請求項４】
前記溝は、前記左右の側板の上下方向の全長にわたって形成されていることを特徴とする請求項１ないし請求項３のいずれかに記載の電子鍵盤楽器用スタンド。
【請求項５】
前記左右の側板の前記溝は、一方の前記溝に前記裏板の一方の端を嵌入してから、前記裏板を他方の前記溝側に移動して、他方の前記溝に前記裏板の他方の端を嵌入できる深さに形成されていることを特徴とする請求項１ないし請求項４のいずれかに記載の電子鍵盤楽器用スタンド。
【発明の詳細な説明】
【技術分野】
【０００１】
本発明は、楽器本体を支持する電子鍵盤楽器用スタンドに関する。
【背景技術】
【０００２】
従来より、左右の妻土台に左右の側板を立設し、左右の側板の間に裏板を渡した電子鍵盤楽器用スタンドが知られている。左右の側板と裏板とを接続する際に、裏板の端と左右の側板の内側面との間に隙間が生じる場合がある。その際、電子鍵盤楽器が黒塗り塗装されて、その後側の壁が白色などの明るい壁であったり、明るい空間であったりすると、隙間が目立ってしまい、美観を損ねる。
【０００３】
そこで、特許文献１にあるように、側板の内側面と裏板の端との間の隙間を覆うように、裏板のすぐ後側に、隙間覆い材を側板に取り付けて、裏板の寸法誤差や取付誤差によって、隙間が生じても、目立たなくして、外観を向上させている。
【特許文献１】特開２００６−１３９０８２号公報
【発明の開示】
【発明が解決しようとする課題】
【０００４】
しかしながら、こうした従来のものでは、外観の向上が図れるが、側板に隙間覆い材を取り付けなければならず、部品点数が増加してしまう。また、楽器本体から電源コードが引き出されると共に、楽器本体から引き出されたペダルコードがペダル土台に引き込まれている。これらのコードが楽器本体から垂れ下がった状態にあると、コードに何かを引っ掛けたり、コードを傷つけたりするおそれがあり、外観品質上も好ましくないという問題があった。
【０００５】
本発明の課題は、コードの処理を図ると共に、外観品質の向上も図った電子鍵盤楽器用スタンドを提供することにある。
【課題を解決するための手段】
【０００６】
かかる課題を達成すべく、本発明は課題を解決するため次の手段を取った。即ち、
ペダル土台の左右両側に取り付けられた左右の妻土台と、
該妻土台にそれぞれ立設され上側に楽器本体が取り付けられた左右の側板と、
該左右の側板の間に渡された裏板とを備えた電子鍵盤楽器用スタンドにおいて、
前記左右の側板に前記裏板の左右両端を嵌入可能な溝を設け、少なくとも一方の前記溝の奥にコードを挿入すると共に前記裏板を前記溝に嵌入し、前記左右の側板と前記裏板とをそれぞれ接続部材により固定したことを特徴とする電子鍵盤楽器用スタンドがそれである。
【０００７】
前記溝は、前記側板の前記妻土台側の端まで形成され、かつ、前記溝の前記妻土台側端の幅を拡げて前記コードを引き出した構成としてもよい。また、前記左右の側板の一方の前記溝には、前記楽器本体の電源コードが挿入され、他方の前記溝には、前記楽器本体と前記ペダル土台とを接続するペダルコードが挿入された構成としてもよい。更に、前記溝は、前記左右の側板の上下方向の全長にわたって形成されている構成としてもよい。前記左右の側板の前記溝は、一方の前記溝に前記裏板の一方の端を嵌入してから、前記裏板を他方の前記溝側に移動して、他方の前記溝に前記裏板の他方の端を嵌入できる深さに形成されている構成としてもよい。
【発明の効果】
【０００８】
本発明の電子鍵盤楽器用スタンドは、側板の溝の奥にコードを挿入すると共に、裏板の両端を左右の側板の溝に嵌入したので、垂れ下がるコードに何かを引っ掛けたり、コードを傷つけたりするおそれがなく、また、側板と裏板との間に隙間が生じることもないので、外観品質も向上するという効果を奏する。
【０００９】
また、溝の妻土台側端の幅を拡げて、コードを引き出すようにすると、コードを溝から外部に容易に引き出すことができる。左右の側板の一方の溝に電源コードを、他方の溝にペダルコードを挿入することにより、複数のコードを溝に容易に挿入できる。溝を側板の上下方向の全長にわたって形成することにより、溝を容易に形成できる。
【００１０】
更に、一方の溝に裏板の一方の端を嵌入してから、裏板を他方の溝側に移動して、他方の溝に裏板の他方の端を嵌入できるように、溝の深さを形成すると、組立も容易になる。
【発明を実施するための最良の形態】
【００１１】
以下本発明を実施するための最良の形態を図面に基づいて詳細に説明する。
図１は本発明の一実施形態としてのスタンド２を適用した電子鍵盤楽器の斜視図である。図１に示すように、楽器本体１とこれを支持するスタンド２とを備え、スタンド２は組立式に構成されている。楽器本体１はその両側の腕木４の間に鍵盤ユニット６が配置され、この鍵盤ユニット６を例えばスライド式に開閉する鍵盤蓋８を備えている。また、電子ピアノ等の電子鍵盤楽器では、各種操作スイッチ類等を有する操作パネル１０が鍵盤ユニット６の後方に取り付けられている。
【００１２】
また、スタンド２はペダル土台１２の両側に左右の妻土台１４，１６が配置されると共に、各妻土台１４，１６にはそれぞれ左右の側板１８，２０が立設されている。左右の側板１８，２０の間には、裏板２２が渡されると共に、本実施形態では、楽器本体１の下側に、スピーカボックス２４が左右の側板１８，２０の間に渡されて配置されている。
【００１３】
図２は本実施形態の電子鍵盤楽器から楽器本体１とスピーカボックス２４を取り外したスタンド２の斜視図である。図３は本実施形態のスタンド２のペダル土台１２、左の側板１８、裏板２２、電源コード３４の分解斜視図である。
【００１４】
図２、図３に示すように、左の側板１８には、その内側面に、楽器本体１を固定する一対のＬ字形の固定金具２６，２８が取り付けられると共に、スピーカボックス２４を固定するＬ字形の固定金具３０が取り付けられている。尚、右の側板２０についても、同様に、楽器本体１を固定する一対の固定金具４２，４４（図４参照）及びスピーカボックス２４を固定する図示しない固定金具が取り付けられている。
【００１５】
左の側板１８の内側面に、上下方向の全長にわたって溝３２が形成されている。即ち、楽器本体１が取り付けられる上端から、妻土台１４が取り付けられる下端に至るまで、上端から下端に達するように、連続した溝３２が形成されている。全長にわたって溝３２を形成したほうが、裏板２２の高さに合わせて形成するよりも、形成が容易である。
【００１６】
溝３２の幅は、裏板２２の左側端を嵌入可能に形成されており、溝３２の幅は裏板２２の厚さよりも少し大きく形成して、裏板２２を斜め方向からでも溝３２に嵌入できるように形成している。左の側板１８の溝３２に嵌入された裏板２２は、Ｌ字状金具を用いた接続部材３３により、側板１８に固定されている。右の側板２０にも、同様の溝３８が形成されると共に、溝３８に嵌入された裏板２２が、図示しない接続部材により側板２０に固定されている。
【００１７】
楽器本体１には図示しない家庭用の１００ボルトのコンセント等の電源に接続するための電源コード３４が接続されると共に、電源コード３４の先端にはプラグ３５が取り付けられており、また、楽器本体１とペダル土台１２とはペダルコード３６により接続されている。電源コード３４には、例えば、ビニル絶縁の２芯平形コードが用いられ、容量によっても異なるが、その外形が２．７×５．４ｍｍ程度のものが用いられている。ペダルコード３６は電源コード３４よりも細いもので十分である。
【００１８】
裏板２２の厚さは、本実施形態では、約６．３ｍｍで、溝３２の幅はこれよりも少し大きく形成され、電源コード３４及びペダルコード３６の最大外形よりも大きく形成されている。尚、電源コード３４やペダルコード３６は平形コードに限らす、キャプタイヤコードのような丸形であってもよく、溝３２の幅を考慮して、コードの種類を選択してもよい。あるいは、溝３２の幅をコードの最大外形に合わせて形成してもよいが、嵌入する裏板２２の厚さと大きな差がないほうが好ましい。
【００１９】
溝３２の妻土台１４側の端は幅が拡げられて形成されており、本実施形態では、裏板２２と反対側の前側に向かって、ほぼ三角形に切り取られて、拡幅溝部３２ａが形成されている。妻土台１４側の端をほぼ三角形に拡げて形成することにより、拡幅溝部３２ａの形成が容易になる。
【００２０】
また、溝３２の深さは、少なくとも、電源コード３４を溝３２に沿って挿入すると共に、裏板２２をも嵌入できる深さに形成されており、拡幅溝部３２ａの深さは溝３２の深さと同じに形成されている。本実施形態では、更に、後述するように、溝３２に裏板２２を挿入した後、他方の溝３８側に裏板２２を移動して、他方の溝３８に裏板２２の端を嵌入できるように、溝３２の深さを電源コード３４の外形と裏板２２の嵌入量との加算量よりも大きく形成している。
【００２１】
ペダル土台１２は、その左右両端側の断面形状が下方に開放されたほぼコ字状に形成されており、本実施形態では、左の妻土台１４にペダル土台１２の前側の一部が挿入される挿入溝１４ａが形成されている。ペダル土台１２を挿入溝１４ａに挿入して、妻土台１４にペダル土台１２を取り付けた際に、拡幅溝部３２ａとペダル土台１２のコ字状断面の内側とが連通されて、拡幅溝部３２ａから電源コード３４をペダル土台１２の下側に引き出すことができるように構成されている。尚、拡幅溝部３２ａを形成することなく、例えば、妻土台１４に左の側板１８の溝３２と同じ大きさの溝を形成して、左側板１８の溝３２からこの溝に電源コードを通して、外部に引き出すようにしても実施可能である。
【００２２】
右の側板２０についても、同様の溝３８と拡幅溝部（図示せず）とが形成され、溝３８に挿入したペダルコード３６を拡幅溝部からペダル土台１２の下側に引き出すことができるように構成されている。このペダルコード３６はペダル土台１２の下側を通ってペダル土台１２に接続されている。ペダルコード３６は、図示しないプラグ等により、ペダル土台１２と着脱可能に構成されている。
【００２３】
次に、前述した本実施形態の電子鍵盤楽器用スタンドの作動について説明する。
組立の際には、まず、左右の妻土台１４，１６のそれぞれの挿入溝１４ａにペダル土台１２の前側一部が挿入され、ペダル土台１２の両側にそれぞれ左右の妻土台１４，１６が取り付けられる共に、左右の妻土台１４，１６に左右の側板１８，２０が取り付けられて立設される。
【００２４】
その際、ペダル土台１２が取り付けられ、左右の側板１８，２０が立設されている左右の妻土台１４，１６を図示しない床上に置いて立ち上げる。続いて、電源コード３４を左の側板１８の溝３２に沿って溝３２の奥に挿入すると共に、ペダルコード３６を右の側板２０の溝３８に沿って溝３８の奥に挿入する。溝３２，３８に電源コード３４とペダルコード３６とを挿入する際、電源コード３４とペダルコード３６とは、楽器本体１側に接続する端が、左右の側板１８，２０の上側から所定の長さ飛び出すように挿入する。
【００２５】
また、電源コード３４のプラグ３５側は、左の側板１８の拡幅溝部３２ａに電源コード３４の中程を挿入して、ペダル土台１２の下側に引き出す。ペダルコード３６も同様に、右の側板２０の拡幅溝部に挿入して、ペダル土台１２の下側に導く。
【００２６】
図４は本実施形態の楽器本体１を取り除いた状態のスタンド２の平面図であり、図５は本実施形態の楽器本体１を取り除いた状態のスタンド２の背面図であり、図６は本実施形態の楽器本体１を取り除いた状態のスタンド２の左の側板１８側を背面側から見た一部を断面で示す斜視図である。
【００２７】
続いて、図４に示すように、まず、裏板２２を斜めに傾けた状態で、左の側板１８の溝３２に裏板２２の左側端を挿入する。裏板２２を溝３２に、溝３２のほぼ深さ一杯に挿入してから、図４に矢印で示すように、裏板２２をペダル土台１２の裏側に押し当てるように揺動させる。
【００２８】
そして、右の側板２０の溝３８側に向かって裏板２２を移動すると共に、右の側板２０側の溝３８に裏板２２の右側端を挿入する。接続部材３３と裏板２２とをビスにより固定すると共に、裏板２２とペダル土台１２とをビスにより固定する。
【００２９】
次に、楽器本体１を左右の側板１８，２０の上側に固定金具２６，２８により固定し、スピーカボックス２４を左右の側板１８，２０の間に挿入して、固定金具３０により左右の側板１８，２４に固定する。その際、例えば、固定金具２６，２８，３０を左右の側板１８，２０に固定してから、楽器本体１、スピーカボックス２４を取り付けるとよい。
【００３０】
これにより、図５に示すように、電源コード３４は、楽器本体１から左の側板１８の溝３２内を通って、左の妻土台１４側の側板１８の下端に導かれ、拡幅溝部３２ａから外に引き出される。そして、図６に示すように、ペダル土台１２の内部を通って、ペダル土台１２の下側から引き出されて、図示しないコンセントに接続される。
【００３１】
また、ペダルコード３６は、楽器本体１から右の側板２０の溝３８内を通って、右の妻土台１６側の側板２０の下端に導かれ、図示しない拡幅溝部から外に引き出される。そして、図６に示すように、ペダル土台１２の内部を通って、ペダル土台１２に接続される。
【００３２】
従って、電源コード３４やペダルコード３６は、楽器本体１から垂れ下がった状態で露出されることがなく、電源コード３４やペダルコード３６に何かを引っ掛けたり、電源コード３４やペダルコード３６を傷つけたりするのを防止できる。また電源コード３４やペダルコード３６を、電子鍵盤楽器の演奏者側に露出させることなく処理できるので、外観品質も向上する。
【００３３】
更に、裏板２２は、左右の側板１８，２０の溝３２，３８に嵌入されているので、左右の側板１８，２０と裏板２２との間に隙間が生じることがなく、演奏者側から隙間を通して裏側の壁や空間が見えることがなく、外観品質が向上する。
【００３４】
また、左の側板１８の溝３２に裏板２２の左側端を嵌入してから、裏板２２を右の側板２０の溝３８側に移動して、溝３８に裏板２２の右側端を嵌入することにより、組立も容易になる。
【００３５】
尚、電源コード３４及びペダルコード３６と楽器本体１とを図示しないプラグにより着脱可能としてもよく、その際には、溝３２，３８に電源コード３４とペダルコード３６とを挿入して、裏板２２を取り付けた後に、楽器本体１を左右の側板１８，２０に取り付ける。そして、電源コード３４の図示しないプラグを楽器本体１に差し込んで接続し、ペダルコード３６の図示しないプラグを楽器本体１に差し込んで接続してもよい。
【００３６】
以上本発明はこの様な実施形態に何等限定されるものではなく、本発明の要旨を逸脱しない範囲において種々なる態様で実施し得る。
【図面の簡単な説明】
【００３７】
【図１】本発明の一実施形態としてのスタンドを適用した電子鍵盤楽器の斜視図である
【図２】本実施形態の電子鍵盤楽器から楽器本体とスピーカボックスを取り外したスタンドの斜視図である。
【図３】本実施形態のスタンドのペダル土台、左の側板、裏板、電源コードの分解斜視図である。
【図４】本実施形態の楽器本体を取り除いた状態のスタンドの平面図である。
【図５】本実施形態の楽器本体を取り除いた状態のスタンドの背面図である。
【図６】本実施形態の楽器本体を取り除いた状態のスタンドの左の側板側を背面側から見た一部を断面で示す拡大斜視図である。
【符号の説明】
【００３８】
１…楽器本体      ２…スタンド
４…腕木          ６…鍵盤ユニット
８…鍵盤蓋        １０…操作パネル
１２…ペダル土台  １４，１６…妻土台
１４ａ…挿入溝    １８，２０…側板
２２…裏板        ２４…スピーカボックス
２６，２８，３０…固定金具
３２，３８…溝    ３２ａ…拡幅溝部
３３…接続部材    ３４…電源コード
３５…プラグ      ３６…ペダルコード
【図１】
2008058383.tif 000003
【図２】
2008058383.tif 000004
【図３】
2008058383.tif 000005
【図４】
2008058383.tif 000006
【図５】
2008058383.tif 000007
【図６】
2008058383.tif 000008